【事件の表示】
　平成８年特許願第７８００５号「ソーラタイムスイッチ」拒絶査定不服審判事件〔平成９年１０月１４日出願公開、特開平９−２６９３８７〕について、次のとおり審決する。
【結　論】
　本件審判の請求は、成り立たない。
【理　由】
１．手続の経緯
　本願は、平成８年３月２９日の出願であって、平成１３年９月３日付けで拒絶査定がなされ、これに対し、同年１０月１１日に拒絶査定に対する審判請求がなされるとともに、同年１１月１２日付けで手続補正がなされたものである。
　
２．平成１３年１１月１２日付けの手続補正についての補正却下
「補正却下の決定の結論」
　平成１３年１１月１２日付けの手続補正を却下する。
「理由」
　（１）補正後の本願発明
　上記補正により、特許請求の範囲の請求項１は以下のとおり補正された（なお、アンダーラインは補正された箇所を示すために付されたものである。）。
　【請求項１】　現在の日時を計時する時計手段と、負荷を制御する設定時刻と負荷のオン・オフとを組にして複数回路の負荷毎に負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って複数回路の負荷を各別に制御する負荷制御手段と、太陽の位置により日毎に決まる夕方の所定時刻と朝方の所定時刻とを年間を通じて発生するカレンダ手段と、タイムスケジュール記憶手段の設定時刻として複数回路の負荷毎に所望の定時刻が設定可能な定時刻設定手段と、タイムスケジュール記憶手段の設定時刻としてカレンダ手段より発生する上記所定時刻を基準にして求めたカレンダ時刻を複数回路の負荷毎に設定可能なカレンダ時刻設定手段と、タイムスケジュール記憶手段に格納されている１回分のタイムスケジュールについて負荷をオン・オフさせる時刻がカレンダ時刻であるか定時刻であるかの関係を示す複数回路の負荷毎の動作パターンを表示する表示手段とを備え、表示手段は、複数回路の負荷にそれぞれ対応した動作パターンを同時に表示可能な動作パターン表示領域を有し、夕方と朝方との上記各カレンダ時刻および夕方から翌日の朝方までの間であって両カレンダ時刻の間の定時刻をそれぞれ示す複数個のドットと、各ドット間に配置されてその間の負荷のオン・オフ状態を示すバーとを用いて複数回路の負荷毎の動作パターンを表示することを特徴とするソーラタイムスイッチ。
　
　（２）当審の判断
　　（２）−１〈補正の目的の適否について〉
　　ア．請求項１中の記載「複数回路の負荷毎の負荷のオン・オフのタイムスケジュールを格納するタイムスケジュール記憶手段」、「複数回路の負荷毎の所望の定時刻が設定可能な定時刻設定手段」及び「複数回路の負荷毎のカレンダ時刻設定手段」を、それぞれ、「複数回路の負荷毎に負荷のオン・オフのタイムスケジュールを格納するタイムスケジュール記憶手段」、「複数回路の負荷毎に所望の定時刻が設定可能な定時刻設定手段」及び「複数回路の負荷毎に設定可能なカレンダ時刻設定手段」とする補正は、複数の負荷に対してタイムスケジュール記憶手段、定時刻設定手段、カレンダ時刻設定手段及び表示手段がそれぞれ一つであることを明確にするものであり、明りょうでない記載の釈明を目的とするものである。
　　イ．請求項１中の記載「タイムスケジュールに従って負荷を制御する負荷制御手段と、・・・を備え、負荷制御手段は複数回路の負荷を各別に制御可能であって、」を「タイムスケジュールに従って複数回路の負荷を各別に制御する負荷制御手段と」とする補正は、負荷制御手段についての記載を明確にするものであり、明りょうでない記載の釈明を目的とするものである。
　　ウ．請求項１中の記載「表示手段は複数回路の負荷にそれぞれ対応した動作パターンを同時に表示可能な動作パターン表示領域を備えること」を「表示手段は、複数回路の負荷にそれぞれ対応した動作パターンを同時に表示可能な動作パターン表示領域を有し、夕方と朝方との上記各カレンダ時刻および夕方から翌日の朝方までの間であって両カレンダ時刻の間の定時刻をそれぞれ示す複数個のドットと、各ドット間に配置されてその間の負荷のオン・オフ状態を示すバーとを用いて複数回路の負荷毎の動作パターンを表示すること」とする補正は、請求項１に記載した発明を特定するために必要な事項である「表示手段」について限定を附加するものであるから、該補正は特許請求の範囲の減縮を目的とするものである。
　
　　（２）−２〈独立特許要件について〉
　そこで、補正後の請求項１に係る発明（以下、「本願補正発明」という。）が、特許出願の際独立して特許を受けることができるものであるかについて、以下に検討する。
　ア．引用刊行物及び引用刊行物に記載された発明
　刊行物１：実願昭６１−１８６１９４号（実開昭６３−９２２９０号）の
　　　　　　マイクロフィルム（原査定の拒絶の理由に引用された引用文献
　　　　　　１、以下、「引用刊行物１」という。）
　刊行物２：特開昭５５−６３７８８号公報（原査定の拒絶の理由に引用さ
　　　　　　れた引用文献２、以下、「引用刊行物２」という。）
　この出願前に頒布された刊行物である引用刊行物１には、以下の事項が図面と共に記載されている。
１ａ．「年間の日没時刻、日出時刻、負荷をオフにする夜間定時時刻、負荷をオンにする早朝定時時刻を記憶するメモリ手段と、前記日没時刻、夜間定時時刻、早朝定時時刻、日出時刻に合わせて出力を制御する演算手段とを備えた電子式ソーラータイムスイッチ」（公報第１頁第５〜１０行）
１ｂ．「本考案は、年間を通じて日没時刻、日出時刻に合わせた照明などの制御を行う電子式ソーラータイムスイッチの改良に関するものである。
（考案の背景）
　ソーラータイムスイッチは、例えば街路灯を周囲の暗くなる日没時刻に点灯し、周囲の明るくなる日出時刻に消灯したり、広告灯を日没時刻に点灯し、夜間定時時刻（例えば深夜零時）に消灯したりする場合に主に用いられるものである。」（公報第１頁第１９行〜同第２頁第７行）
１ｃ．電子式ソーラータイムスイッチの表示パターン制御器及び表示形態について、「第２図は本考案の一実施例の正面を示す。ロータリスイッチ１は初期設定、設定変更或いは各種設定内容及び制御内容の確認を行う時に操作されるもの、第１〜第３押ボタンスイッチ２ａ〜２ｃから成る押ボタンスイッチ２は設定入力時に操作されるもので、両スイッチ１，２は設定入力手段３（第１図）を構成する。制御パターン表示器４は、三つの表示灯４ａ〜４ｃを有し、当日の制御パターンを表示するもので、すべての表示灯４ａ〜４ｃが点灯する場合は日没から日出までがオンになる第１制御パターンを、表示灯４ａ及び４ｃが点灯する場合は日没から夜間定時までと早朝定時から日出までとがオンになる第２制御パターンを、表示灯４ａのみが点灯する場合は日没から夜間定時までがオンになる第３制御パターンを、表示灯４ｃのみが点灯する場合は早朝定時から日出までがオンになる第４制御パターンを、それぞれ表示する。」（公報第４頁第８行〜同第５頁第６行）
１ｄ．電子式ソーラータイムスイッチのブロック図について、「カレンダ・時計計時手段１１は、現在の年月、曜日及び現時刻を計時するもの、第１メモリ手段１２は、設定入力手段３から入力する地区データ以外の設定データ、・・・・・などを記憶するもの、第２メモリ手段１３は、設定された地区データ、年間を通じての基準地区（例えば関東地区）の日没時刻及び日出時刻、各地区と基準地区との日没時刻、日出時刻の時間差を記憶するもの、演算手段１４は、マイクロプロセッサなどから成り、必要な演算を行うもの、出力手段１５は、第１と第２の出力回路をオン或いはオフにするものである。」（公報第６頁第１２行〜同第７頁第５行）
１ｅ．電子式ソーラータイムスイッチの地区設定について、「ロータリスイッチ１の時計回りの順で説明すると、地区設定は、ロータリスィッチ１の位置を地区設定に合わせ、カレンダ・時計表示器５に表れる数字を、その電子式ソーラータイムスイッチが設置される地区に割り当てられた番号、例えば関東地区に設置される場合には地区番号４に、第２押ボタンスイッチ２ｂを押すことにより一致させる。」（公報第８頁第１〜８行）
１ｆ．電子式ソーラータイムスイッチ月日・曜日設定について、「カレンダ・時計表示器５に表れる月日の数字を第１押ボタンスイッチ２ａ及び第２押ボタンスイッチ２ｂの操作により初期設定当日の月日に合わせ、曜日表示灯６の点灯位置を第３押ボタンスイッチ２ｃの操作により初期設定当日の曜日に合わせる。」（公報第８頁第９〜１４行）
１ｇ．電子式ソーラータイムスイッチの現時刻の設定につて、「ロータリスイッチ１の位置を時計マークに合わせ、カレンダ・時計表示器５に表れる時刻の数字を第１押ボタンスイッチ２ａ及び第２押ボタンスイッチ２ｂの操作により初期設定当日の現時刻に合わせる。なお、現時刻の０秒合わせは、第３押ボタンスイッチ２ｃを押すことにより行う。」（公報第８頁第１５行〜同第９頁第１行）
１ｈ．電子式ソーラータイムスイッチの日没時刻の確認・調整について、「ロータリスイッチ１の位置を日没に合わせると、その地区のその日の日没時刻がカレンダ・時計表示器５に表示される。これにより、その日の日没時刻を確認することができる。日没＋／−設定は、日没より早く暗くなるビルの谷間や山あいで使用する場合、日没時刻より早く負荷をオンにする時、或いは逆に日没時刻より遅く負荷をオンにする時に設定するもので、±９０分調整することができる。調整時間は押ボタンスイッチ２ａ〜２ｃにより設定する。」（公報第９頁第２〜１１行）
１ｉ．電子式ソーラータイムスイッチの定時時刻設定について、「夜間定時時刻の設定は、第１の出力回路と第２の出力回路で別々に第１及び第２押ボタンスイッチ２ａ，２ｂにより行う。早朝定時時刻設定も、夜間定時時刻設定と同様である。」（公報第９頁第１１〜１５）
１ｊ．電子式ソーラータイムスイッチの日出時刻確認・調整について、「その日の日出時刻確認及び日出＋／−設定は、日没時刻確認及び日没＋／−設定と同様である。」（公報第９頁第１５〜１７行）
１ｋ．電子式ソーラータイムスイッチの表示について、「ロータリスイッチ１の位置を表示に合わせると、演算手段１４が第１メモリ手段１２に記憶されている夜間定時時刻及び早朝定時時刻の有無を読み出し、それに応じて前記第１〜４の制御パターンのどれに該当するかを判断して、第１と第２の出力回路毎の制御パターンを制御パターン表示器４に表示させる。」（公報第９頁第１８行〜同第１０頁第４行）
１ｌ．電子式ソーラータイムスイッチの運転について、「電子式ソーラータイムスイッチの運転動作中は、ロータリスイッチ１の位置を運転に合わせる。」（公報第１０頁第５、６行）
１ｍ．電子式ソーラータイムスイッチの日没・日出時刻の算出について、「演算手段１４は、第２メモリ手段１３からその日の基準地区の日没時刻及び日出時刻及びその地区の時間差を読み出し、その地区のその日の日没時刻及び日出時刻を演算する。そして、・・・演算手段１４が内蔵するバッファメモリ（不図示）にその日の間記憶する。」（公報第１０頁第１１〜１９行）
１ｎ．電子式ソーラータイムスイッチの制御動作について、「演算手段１４は、カレンダ・時計計時手段１１から入力する現時刻を、バッファメモリに記憶されたその地区のその日の日没時刻、日出時刻や、第１メモリ手段１２から読み出した夜間定時時刻、早朝定時時刻と比較し、一致した時に出力手段１５をオン或いはオフの出力状態に制御する。」（公報第１２頁第１〜７行）
１ｏ．電子式ソーラータイムスイッチのメモリ手段について、「図示実施例における第１メモリ手段１２及び第２メモリ手段１３が本考案のメモリ手段に相当する。」（公報第１３頁第７〜９行）
　
　そして、上記摘記事項１ａの記載「年間の日没時刻、日出時刻、負荷をオフにする夜間定時時刻、負荷をオンにする早朝定時時刻を記憶するメモリ手段と、前記日没時刻、夜間定時時刻、早朝定時時刻、日出時刻に合わせて出力を制御する演算手段とを備えた電子式ソーラータイムスイッチ」、上記摘記事項１ｉの記載「夜間定時時刻は、第１の出力回路と第２の出力回路で別々に第１及び第２押ボタンスイッチ２ａ，２ｂにより行う。早朝定時時刻設定も、夜間定時時刻設定と同様である。」、上記摘記事項１ｎの記載「演算手段１４は、カレンダ・時計計時手段１１から入力する現時刻を、バッファメモリに記憶されたその地区のその日の日没時刻、日出時刻や、第１メモリ手段１２から読み出した夜間定時時刻、早朝定時時刻と比較し、一致した時に出力手段１５をオン或いはオフの出力状態に制御する。」及び第１、２図の記載から、引用刊行物１記載の電子式ソーラータイムスイッチは二つの負荷に対して記憶された設定時刻と現時刻との一致を検出して負荷のオン・オフを制御していることは明らかであるから、該電子式ソーラータイムスイッチが負荷を制御する定時時刻と負荷のオン・オフとを組にして複数回路の負荷毎に負荷のオン・オフのタイムスケジュールを格納するタイムスケジュール記憶手段を有していることは明らかである。
　また、上記摘記事項１ｄの記載「第２メモリ手段１３は、設定された地区データ、年間を通じての基準地区（例えば関東地区）の日没時刻及び日出時刻、各地区と基準地区との日没時刻、日出時刻の時間差を記憶するもの、演算手段１４は、マイクロプロセッサなどから成り、必要な演算を行うもの」及び上記摘記事項１ｎの記載「演算手段１４は、カレンダ・時計計時手段１１から入力する現時刻を、バッファメモリに記憶されたその地区のその日の日没時刻、日出時刻や、第１メモリ手段１２から読み出した夜間定時時刻、早朝定時時刻と比較し、一致した時に出力手段１５をオン或いはオフの出力状態に制御する。」から、引用刊行物１記載の演算手段１４は、負荷を制御するために必要な太陽の位置により日毎に決まる日没時刻と日出時刻を年間を通じて発生していることは明らかである。
　そうすると、引用刊行物１には、次の発明が記載されている。
「現在の日時を計時するカレンダ・時計計時手段１１と、負荷を制御する設定時刻と負荷のオン・オフとを組にして複数回路の負荷毎に負荷のオン・オフのタイムスケジュールを格納するタイムスケジュール記憶手段と、タイムスケジュール記憶手段に格納された設定時刻と時計手段により計時されている現在日時とを比較する演算手段１４と、演算手段１４手段により設定時刻と現在日時との一致が検出されるとタイムスケジュールに従って複数回路の負荷を各別に制御する出力手段１５と、太陽の位置により日毎に決まる日没時刻と日出時刻を発生する演算手段１４と、タイムスケジュール記憶手段の設定時刻として複数回路の負荷毎に所望の定時刻が設定可能な押ボタンスイッチ２ａ、２ｂと、タイムスケジュール記憶手段の設定時刻として演算手段１４より発生する上記日没・日出時刻を基準にして求めた時刻を設定可能な押ボタンスイッチ２ａ〜２ｃと、タイムスケジュール記憶手段に格納されている１回分のタイムスケジュールについて負荷をオン・オフさせる時刻が日没・日出時刻であるか定時刻であるかの関係を示す複数回路の負荷毎の動作パターンを表示する表示手段とを備え、表示手段は、複数回路の負荷にそれぞれ対応した動作パターンを表示可能な動作パターン表示領域を有し、夕方の日没時刻と翌日の朝方の日出時刻の間の負荷のオン・オフ状態を示すドットと用いて複数回路の負荷毎の動作パターンを表示する電子式ソーラタイムスイッチ。」（以下、「引用発明１」という。）
　
　また、この出願前に頒布された刊行物である引用刊行物２には、以下の事項が図面と共に記載されている。
２ａ．プログラムタイマーの構成について、「第１図で、各出力毎にオン時間帯がバー表示される機能を有するプログラムタイマー２４を示す。１はプログラムタイマ−の外体、２は現時刻表示部３と各出力の設定されたオン時間帯バー表示部４、及び置数キー、クリヤキー部５を含んだディスプレイ部であり、６は各種ファンクションモード選択用のロータリースイッチ部である。次に第５図で、本発明のプログラムタイマーの外観を示す。７が新しく付加された各出力設定中の置数時刻を示すドットである。本図では、Ａ１は既に設定済であり、出力Ａのバー表示時間軸上にプログラム内容が表示されている。各種ファンクションモード選択用のロータリ−スイッチはＡ２を指示しており、出力Ａの２つ目のプログラムオン時刻を設定中である事が分かる。置数された値は、１３時３０分なので、デジタル表示と共にＡのバー表示時間軸上の１３時３０分の位置にドツトが示されている。これによって、既に設定されているＡ１の内容とのアナログ表現上での比較が容易になされると同時に、１日２４時間サイクル中での設定位置が一目瞭然となる。さらに、このドットを点滅させる事によって、各設定位置での置数内容がバー表示時間軸上に現われている事を、ロータリースイッチ位置の指示に加えて、さらに使用者に訴える事が可能であると思われる」（公報第２頁左上欄第２行〜同右上欄第６行）
２ｂ．プログラムタイマーの回路動作について、「第３図での回路動作を例を挙げて説明する。出力Ａのプログラムが、０時５分にオンし、１時１０分にオフという内容てあった場合、リングカウンター出力１がハイのときに、Ｃ１〜Ｃ５をハイに、Ｄ５をハイにすれば、ナンドゲートｉ１〜ｉ５の出力はロー、トランジスタ２３は導通して、ＬＥＤａ１，ａ２，ａ３，ａ４，ａ５に電流が流れて点灯する。これは、０時５分が１５分間単位で分割されたＬＥＤａ１の位置に対応し、１時１０分がＬＥＤａ５の位置に対応するので、ａ１からａ５の途中にあるＬＥＤａ２，ａ３，ａ４も点灯させるものである。本表示によって、ＬＥＤの連続的なバー表示部が出来上がり、一見してプログラム内容が認知されるのである。他のプログラム時間帯も同様の動作であり、順次シフトするリングカウンター１８の出力に同期して、対応する出力Ｃ１〜Ｄ４を出し、Ｄ５，Ｄ６を交互にハイにすることで、Ａ・Ｂの各バー表示も可能である。基準制御パルスＣφは、リングカウンター１８の出力１〜６を２回ハイにする時間、つまりａ１〜ａ１６のブロックから始まって、ｂ８１〜ｂ９６のブロックまで到達する時間を、人間の目のちらつきを覚えさせない程度の時間にすべく出力しなければならないのは当然である。」（公報第４頁左下欄第１６行〜同右下欄第１９行）
２ｃ．発明の効果について、「各設定時における置数内容が各出力のバー表示時間軸上に示される事によって、・・・既設定時間帯との比較がし易くなったり、デジタル表現が連続的な時間軸上に置き変えられたことで、設定の容易性が増加する」（公報第５頁右上欄第１３〜１８行）
　したがって、引用刊行物２には、プログラムタイマーのプログラム時間設定の表示について、「オン時間帯バー表示部４（動作パターン表示領域に相当）に、Ａ・Ｂの各バーの表示（複数回路の負荷にそれぞれ対応した動作パターンに相当）を同時に表示可能とする」発明（以下、「引用発明２」という。）が記載されている。
　
　イ．対比
　本願補正発明と引用発明１とを対比すると、引用発明１における「カレンダ・時計計時手段１１」、「演算手段１４」、「出力手段１５」、「太陽の位置により日毎に決まる日没時刻と日出時刻」、「演算手段１４」、「押ボタンスイッチ２ａ、２ｂ」、「押ボタンスイッチ２ａ〜２ｃ」、「表示手段」、及び「電子式ソーラタイムスイッチ」は、それぞれ、本願補正発明における「時計手段」、「比較手段」、「負荷制御手段」、「夕方の所定時刻と朝方の所定時刻」、「カレンダ手段」、「定時刻設定手段」、「カレンダ時刻設定手段」、「表示手段」及び「ソーラタイムスイッチ」に相当する。
　したがって、両者は、次の一致点で一致し、相違点ｉないしｉｉｉで相違する。
　【一致点】
　現在の日時を計時する時計手段と、負荷を制御する設定時刻と負荷のオン・オフとを組にして複数回路の負荷毎に負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って複数回路の負荷を各別に制御する負荷制御手段と、太陽の位置により日毎に決まる夕方の所定時刻と朝方の所定時刻とを年間を通じて発生するカレンダ手段と、タイムスケジュール記憶手段の設定時刻として複数回路の負荷毎に所望の定時刻が設定可能な定時刻設定手段と、タイムスケジュール記憶手段の設定時刻としてカレンダ手段より発生する上記所定時刻を基準にして求めたカレンダ時刻を設定可能なカレンダ時刻設定手段と、タイムスケジュール記憶手段に格納されている１回分のタイムスケジュールについて負荷をオン・オフさせる時刻がカレンダ時刻であるか定時刻であるかの関係を示す複数回路の負荷毎の動作パターンを表示する表示手段とを備えるソーラタイムスイッチ。
　【相違点】
　ｉ．本願補正発明のものでは、カレンダ時刻設定手段が複数回路の負荷毎に設けられているのに対し、引用発明１のものでは単一である点
　ｉｉ．本願補正発明のものでは、動作パターン表示領域には、複数回路の負荷にそれぞれ対応した動作パターンを同時に表示可能であるのに対し、引用発明１のものでは、動作パターン表示領域には複数回路の負荷にそれぞれ対応した動作パターンを一つしか表示可能でない点。
　ｉｉｉ．本願補正発明のものでは、表示手段が夕方と朝方との各カレンダ時刻および夕方から翌日の朝方までの間であって両カレンダ時刻の間の定時刻をそれぞれ示す複数個のドットと、各ドット間に配置されてその間の負荷のオン・オフ状態を示すバーとを用いて複数回路の負荷毎の動作パターンを表示しているのに対し、引用発明１のものでは、表示手段が夕方の日没時刻と翌日の朝方の日出時刻の間の負荷のオン・オフ状態をドットを用いて表示している点。
　
　ウ．判断
　　相違点ｉについて；
　引用刊行物１には、負荷を制御するパターンは複数あることが記載されており（上記摘記事項１ｃ参照）、このことから、負荷を制御するためには各パターンにおいて日没時刻、夜間定時時刻、早朝定時時刻及び日出時刻のいずれかの組合せ設定が必要なことが理解でき、また、夜間定時時刻と早朝定時時刻については、第１の出力回路と第２の出力回路で別々に設定できることが記載されている（上記摘記事項１ｉ参照）。したがって、負荷制御のパターン設定において、夜間定時時刻及び早朝定時時刻の設定と同様に、日没時刻及び日出時刻を複数の負荷毎に設定できるように構成することに格別の困難性は認められない。
　
　　相違点ｉｉについて；
　引用発明１及び２は共に、複数負荷のオン・オフ時刻を任意に設定可能であり、該設定した動作時刻のパターンを表示可能なタイマー装置という同一の技術分野に属するものであること、かつ、引用発明２の効果「各設定時における置数内容が各出力のバー表示時間軸上に示される事によって、・・・既設定時間帯との比較がし易くなったり、デジタル表現が連続的な時間軸上に置き変えられたことで、設定の容易性が増加する」（上記摘記事項２ｃ参照）を考慮すると、複数回路の負荷の動作パターンの視認性を向上させるために、引用発明１の表示手段として引用発明２を適用し、本願補正発明の相違点ｉにかかる構成とすることは、当業者であれば容易になし得ることである。
　
　　相違点ｉｉｉについて；
　タイマーの設定時刻表示に関して、負荷のオン・オフ状態を示すバー表示に加えてドット表示を組み合わせて用いることは周知手段（例えば、特開昭５５−６３７８８号公報参照）であり、このドット表示を設定時刻の表示として用いることは適宜になし得る設計的事項にすぎない。なお、周知技術のものにおいては、設定時間のパターンはバー表示のみであるが、該バー表示の始点及び終点が設定時間に対応することは一見すれば容易に理解できるところであり、特に、該始点及び終点をドット表示とすることにより格別に視認性を向上させるものとも認められない。
　
　エ．むすび
　　以上のとおり、本願補正発明は、上記引用発明１、２及び周知手段に基づいて当業者が容易に発明をすることができたものであり、特許法第２９条第２項の規定により特許出願の際独立して特許を受けることができないものであって、本件補正は、平成６年改正前特許法第１７条の２第４項において準用する同法第１２６条第３項の規定に違反するので、特許法第１５９条第１項において準用する同法第５３条第１項の規定により却下すべきものである。
　
３．本願発明について
　平成１３年１１月１２日付けの手続補正は上記のとおり却下されたので、本願の請求項１に係る発明（以下、「本願発明」という。）は、平成１３年７月２日付手続補正書の特許請求の範囲の請求項１に記載された事項により特定されるとおりの次のものである。
「　【請求項１】　現在の日時を計時する時計手段と、負荷を制御する設定時刻と負荷のオン・オフとを組にして複数回路の負荷毎の負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻として複数回路の負荷毎の所望の定時刻が設定可能な定時刻設定手段と、タイムスケジュール記憶手段の設定時刻としてカレンダ手段より発生する上記所定時刻を基準にして求めたカレンダ時刻が設定可能な複数回路の負荷毎のカレンダ時刻設定手段と、タイムスケジュール記憶手段に格納されている１回分のタイムスケジュールについて負荷をオン・オフさせる時刻がカレンダ時刻であるか定時刻であるかの関係を示す複数回路の負荷毎の動作パターンを表示する表示手段とを備え、負荷制御手段は複数回路の負荷を各別に制御可能であって、表示手段は複数回路の負荷にそれぞれ対応した動作パターンを同時に表示可能な動作パターン表示領域を備えることを特徴とするソーラタイムスイッチ。」
　
（１）引用例
　原査定の拒絶の理由に引用された刊行物、および、その記載事項は、前記項目「（２）−２〈独立特許要件について〉　ア．引用刊行物及び引用刊行物に記載された発明」に記載したとおりである。
（２）対比・判断
　本願発明は、前記項目「（２）−２〈独立特許要件について〉」で検討した本願補正発明の表示手段に係る構成において、「夕方と朝方との上記各カレンダ時刻および夕方から翌日の朝方までの間であって両カレンダ時刻の間の定時刻をそれぞれ示す複数個のドットと、各ドット間に配置されてその間の負荷のオン・オフ状態を示すバーとを用いて複数回路の負荷毎の動作パターンを表示する」の事項を省いたものである。
　そうすると、本願発明の構成要件を全て含みさらに他の構成要件を付加したものに相当する本願補正発明が、前記項目「（２）−２〈独立特許要件について〉」に記載したとおり引用発明１、２及び周知手段に基づいて当業者が容易に発明をすることができたものであるから、本願発明も、同様の理由により、引用発明１、２及び周知手段に基づいて当業者が容易に発明をすることができたものである。
（３）むすび
　以上のとおり、本願発明は、引用発明１、２及び周知手段に基づいて当業者が容易に発明をすることができたものであるから、特許法第２９条第２項の規定により特許を受けることができない。
　上記のとおり、本願の請求項１に係る発明が特許を受けることができないものであるから、その余の請求項に係る発明について審究するまでもなく、本願は拒絶すべきものである。
　よって、結論のとおり審決する。